(57)【要約】【課題】  複数の表示部を用いた表示に関する自由度を改善する。【解決手段】  複数の表示部を有する端末において表示選択モード（Ｓ１）に移行すると、ユーザはキー操作部を操作して表示情報の編集を選択する（Ｓ２）。その後、その表示情報の決定対象となる表示部を、キー操作部を操作して複数表示部から１つ以上決定する（Ｓ４）。そして、決定した表示部について表示すべき種類の情報をキー操作部を操作して決定する（Ｓ７）。その後、決定した表示部について決定した種類の情報が表示される。【選択図】        図６
2005215453.tif 000002
【特許請求の範囲】
【請求項１】
複数の異なる表示部を有する機器に搭載されて、前記複数の表示部における表示を制御するための表示制御装置であって、
与えられる表示先の指定に基づき、前記複数の表示部のうち情報の表示先となる１つ以上の表示部を決定する表示部決定手段と、
与えられる表示情報の指定に基づき、前記表示部決定手段により決定された前記表示部に表示すべき情報を決定する表示情報決定手段とを備えて、
前記表示部決定手段により決定された前記表示部に、前記表示情報決定手段により決定された情報を表示する、表示制御装置。
【請求項２】
前記表示情報決定手段は、
与えられる表示情報の指定に基づき、他の表示部の表示情報を、前記表示部決定手段により決定された前記表示部に表示すべき情報として決定する、請求項１に記載の表示制御装置。
【請求項３】
前記他の表示部の表示情報を、前記表示部決定手段により決定された前記表示部に表示するとき、前記他の表示部の表示情報を消去する、請求項２に記載の表示制御装置。
【請求項４】
前記表示部決定手段により決定された前記表示部に、前記他の表示部の表示情報の詳細情報を表示する、請求項３に記載の表示制御装置。
【請求項５】
前記他の表示部の表示情報は前記機器が有する所定機能を示すアイコンを含み、
前記詳細情報は前記アイコンが示す前記所定機能に関する詳細を示す情報である、請求項４に記載の表示制御装置。
【請求項６】
前記表示情報決定手段は、
与えられる表示情報の指定に基づき、前記表示部決定手段により決定された前記表示部それぞれに表示すべき情報を同じとする、請求項１に記載の表示制御装置。
【請求項７】
前記複数の表示部間での表示情報の切替えを指示する手段をさらに備えて、
前記切替え指示が与えられたとき、前記表示部決定手段により決定された前記表示部間で表示情報を交互に切替える、請求項１に記載の表示制御装置。
【請求項８】
前記表示部決定手段により複数の表示部が決定されたとき、決定された前記複数表示部に前記表示情報決定部により決定された情報を時間経過に従い順次に表示する、請求項１に記載の表示制御装置。
【請求項９】
前記表示部決定手段により複数の表示部が決定されたとき、決定された前記複数表示部に前記表示情報決定部により決定された情報を同時に表示する、請求項１に記載の表示制御装置。
【請求項１０】
前記機器は被写体を撮影して画像データを出力する１つ以上の撮像部をさらに有し、
前記表示情報決定手段により決定された情報は、前記撮像部により撮像して得られた画像データに基づく画像である、請求項１から９のいずれか１項に記載の表示制御装置。
【請求項１１】
前記機器は単一の筐体からなり、
前記複数の表示部は前記単一の筐体の異なる２つ以上の面に設けられる、請求項１から１０のいずれかに記載の表示制御装置。
【請求項１２】
前記機器は、相互に連結し且つ連結部分を介して開閉動作する複数の筐体からなり、
前記複数表示部は前記複数の筐体のうちの１つの筐体または異なる２つ以上の筐体に設けられる、請求項１から１０のいずれかに記載の表示制御装置。
【請求項１３】
同一の前記筐体に複数の表示部が設けられるとき、前記複数の表示部は該筐体の異なる２つ以上の面に設けられる、請求項１２に記載の表示制御装置。
【請求項１４】
前記複数表示部の１つ以上は前記開閉動作によって前記筐体により覆われる、請求項１２または１３に記載の表示制御装置。
【請求項１５】
前記開閉動作は前記連結部を介したスライド動作である、請求項１２から１４のいずれかに記載の表示制御装置。
【請求項１６】
前記開閉動作は前記連結部を支点とした回転動作である、請求項１２から１４のいずれかに記載の表示制御装置。
【請求項１７】
前記機器は携帯型電話である、請求項１から１６のいずれか１項に記載の表示制御装置。
【請求項１８】
開閉動作可能に相互に連結された第１および第２の筐体を有して、前記第１および第２筐体に表示部を複数個設ける電子機器に搭載された表示制御装置であって、
前記第１および第２の筐体の少なくとも一方は被写体を撮像して画像データを出力する撮像部を有し、
前記表示制御装置は、
与えられる表示先の指定に基づき、前記撮像部からの前記画像データに基づく画像の表示先となる１つ以上の表示部を、前記複数の表示部のうちから決定する表示部決定手段と、
前記表示部決定手段により決定された前記表示部に、前記画像を表示する手段とを備える、表示制御装置。
【請求項１９】
展開及び収納が可能なように相互に結合された第１の筐体部と第２の筐体部から成る電子機器の表示制御装置であって、
前記第１の筐体部は少なくとも一つの表示部と撮像部を持ち、制御部が内蔵されていることで前記撮像部で撮影した画像を前記第１の筐体部の少なくとも一つの表示部に表示させる一方、前記第２の筐体部の少なくとも一つの表示部に表示させる事を特徴とする、表示制御装置。
【請求項２０】
展開及び収納が可能なように相互に結合された第１の筐体部と第２の筐体部から成る電子機器の表示制御装置であって、
前記第１の筐体部は少なくとも一つの表示部と撮像部を持ち、且つ前記第２の筐体部は少なくとも一つの表示部と撮像部を持ち制御部が内蔵されていることで前記第１の筐体部の撮像部で撮影した画像を前記第１の筐体部の少なくとも一つの表示部に表示させる一方、前記第２の筐体部の撮像部で撮影した画像を前記第２の筐体部の少なくとも一つの表示部に表示させる事を特徴とする、表示制御装置。
【請求項２１】
前記第１の筐体部の撮像部で撮影した画像を前記第２の筐体部の少なくとも一つの表示部に表示させる一方、前記第２の筐体部の撮像部で撮影した画像を前記第１の筐体部の少なくとも一つの表示部に表示させる事を特徴とする、請求項２０に記載の表示制御装置。
【請求項２２】
展開及び収納が可能なように相互に結合された第１の筐体部と第２の筐体部から成る電子機器における表示制御装置であって、
前記第１の筐体部の表面または裏面に少なくとも１つの表示部と、
前記第２の筐体部の表面または裏面に少なくとも１つの他の表示部と、
前記第１および第２筐体部の表示部のうち少なくとも１つの前記表示部に表示させた表示内容を別の表示部に表示させる制御部とを有する、表示制御装置。
【請求項２３】
前記第２の筐体部の表面または裏面以外の場所に、さらに少なくとも１つの表示部を有する、請求項２２に記載の表示制御装置。
【請求項２４】
前記第１の筐体部の表面または裏面以外の場所に、さらに少なくとも１つの表示部を有する、請求項２２または２３に記載の表示制御装置。
【請求項２５】
展開及び収納が可能なように相互に結合された第１の筐体部と第２の筐体部から成る電子機器における表示制御装置であって、
前記第１の筐体部の表面且つ裏面それぞれに少なくとも１つの表示部と、
前記第２の筐体部の表面または裏面に少なくとも１つの表示部と、
前記第１および第２筐体部の前記表示部のうち少なくとも１つの前記表示部に表示させた表示内容を別の表示部に表示させる制御部とを有する、表示制御装置。
【請求項２６】
前記第２の筐体部の表面または裏面以外の場所に、さらに少なくとも１つの表示部を有する、請求項２５に記載の表示制御装置。
【請求項２７】
前記第１の筐体部の表面または裏面以外の場所に少なくとも１つの表示部を有する、請求項２５に記載の表示制御装置。
【請求項２８】
展開及び収納が可能なように相互に結合された第１の筐体部と第２の筐体部から成る電子機器における表示制御装置であって、
前記第１の筐体部の表面または裏面に少なくとも１つの表示部と、
前記第２の筐体部の表面且つ裏面それぞれに少なくとも１つの表示部と、
前記第１および第２筐体部の前記表示部のうち少なくとも１つの前記表示部に表示させた表示内容を別の表示部に表示させる制御部とを有する、表示制御装置。
【請求項２９】
前記第１の筐体部の表面または裏面以外の場所に、さらに少なくとも１つの表示部を有する、請求項２８に記載の表示制御装置。
【請求項３０】
前記第２の筐体部の表面または裏面以外の場所に、さらに少なくとも１つの表示部を有する、請求項２８に記載の表示制御装置。
【請求項３１】
展開及び収納が可能なように相互に結合された第１の筐体部と第２の筐体部から成る電子機器における表示制御装置であって、
前記第１の筐体部の表面且つ裏面それぞれに少なくとも１つの表示部と、
前記第２の筐体部の表面且つ裏面それぞれに少なくとも１つの表示部と、
前記第１および第２筐体部の前記表示部のうち少なくとも１つの前記表示部に表示させた表示内容を別の表示部に表示させる制御部とを有する、表示制御装置。
【請求項３２】
前記第２の筐体部の表面または裏面以外の場所に、さらに少なくとも１つの表示部を有する、請求項３１に記載の表示制御装置。
【請求項３３】
前記第１の筐体部の表面または裏面以外の場所に、さらに少なくとも１つの表示部を有する、請求項３１に記載の表示制御装置。
【発明の詳細な説明】
【技術分野】
【０００１】
この発明は複数の表示部を有した機器に搭載される表示制御装置であって、特に、表示部毎の表示情報を任意に設定できる表示制御装置に関する。
【背景技術】
【０００２】
従来より、複数の表示ユニットを有する電子機器、通信機器及び携帯機器が提供されてきた。これら機器には、複数表示ユニットとしてメイン表示部とこれより小型のサブ表示部を持ち、メイン表示部には文書情報や画像情報を表示しサブ表示部には機器の電池の残量やハードディスク動作の状態を示す情報をアイコン表示するものがある。また携帯型電話機ではメイン表示部とは別にメイン表示部の背面部にサブ液晶と呼ばれる小型のサブ表示部を持つものがある。
【０００３】
特許文献１では折りたたみ可能な２つの筐体部からなる携帯機器においてそれぞれの筐体部に独立した表示部を持ち、これら表示部により一度に多くの情報を表示させる技術が示される。
【０００４】
また特許文献２では表示部に例えば電波の伝送状態を表すアンテナアイコンの大きさを端末の使用状態により変更して、同じ表示部内の別の場所に移動させたり消去する技術が示される。
【特許文献１】特開平１１−６８８９６号公報
【特許文献２】特開２００１−１３６５７８号公報
【発明の開示】
【発明が解決しようとする課題】
【０００５】
特許文献１に開示の技術では、表示部の用途は表示部毎に限定されており、ある表示部の表示内容をユーザが自由に別の表示部に移して表示部の表示範囲を拡大したりする自由度を求めることは不可能であった。
【０００６】
また、特許文献２に開示の技術は一つの表示部内での表示改良であって、別の表示内容を表示させるためにアンテナアイコンそのものを消去した場合に、ユーザがアイコン確認を希望しても、消去してしまったアイコンを表示させる事ができなかった。
【０００７】
以上のように従来は複数の表示部を持つ場合に、それら表示部を用いた表示態様に関する自由度が制限されていた。
【０００８】
それゆえに、この発明の目的は、複数の表示部を用いた情報の表示に関する自由度を有する表示制御装置を提供することである。
【課題を解決するための手段】
【０００９】
この発明のある局面に従う表示制御装置は、複数の異なる表示部を有する機器に搭載されて、複数の表示部における表示を制御するための表示制御装置であって、与えられる表示先の指定に基づき、複数の表示部のうち情報の表示先となる１つ以上の表示部を決定する表示部決定手段と、与えられる表示情報の指定に基づき、表示部決定手段により決定された表示部に表示すべき情報を決定する表示情報決定手段とを備えて、表示部決定手段により決定された表示部に、表示情報決定手段により決定された情報を表示する。
【００１０】
したがって、機器が有する複数の表示部について、与えられる表示先の指定に基づき表示部決定手段により情報の表示先となる表示部を１つ以上決定すると、決定した表示部のそれぞれについて表示すべき情報を与えられる表示情報の指定に基づき表示情報決定手段により決定する。
【００１１】
それゆえに、ユーザは外部から表示先の指定と表示情報の指定とを与えるだけで、各表示部に表示すべき情報を個々に決定できて、複数の表示部を用いた情報の表示に関する自由度を得ることができる。
【００１２】
好ましくは、表示情報決定手段は、与えられる表示情報の指定に基づき、他の表示部の表示情報を、表示部決定手段により決定された表示部に表示すべき情報として決定する。
【００１３】
したがって、表示部決定手段により決定した表示部に表示すべき情報として、他の表示部における表示情報を決定することができる。それゆえに、他の表示部の表示情報を確認することが困難な状況であっても、表示情報を確認し易い表示部を決定して、そこに他の表示部の情報を表示させるように指定することで該情報を容易に確認することができる。
【００１４】
好ましくは、他の表示部の表示情報を、表示部決定手段により決定された表示部に表示するとき、他の表示部の表示情報を消去する。
【００１５】
したがって、同一情報が異なる表示部において同時に表示されるのを防止して、例えば表示領域の有効利用を図れる。
【００１６】
好ましくは、表示部決定手段により決定された表示部に、他の表示部の表示情報の詳細情報を表示する。
【００１７】
したがって、他の表示部の表示情報を、表示部決定手段により決定された表示部に表示するとき、決定した表示部には他の表示部の表示情報の詳細を表示できる。それゆえに、たとえば他の表示部の表示領域が決定した表示部の表示領域よりも小さいために、他の表示部では情報を詳細に表示することが困難な場合には、それよりも大きい表示領域において詳細情報を表示することが可能となる。
【００１８】
好ましくは、決定された表示部の表示領域は、他の表示部の表示領域よりも大きくてもよい。
【００１９】
好ましくは、他の表示部の表示情報は機器が有する所定機能を示すアイコンを含み、詳細情報はアイコンが示す所定機能に関する詳細を示す情報である。
【００２０】
したがって、他の表示部の表示アイコンを、表示部決定手段により決定された表示部に表示するときは、決定した表示部に該アイコンが示す所定機能の詳細情報を表示できる。
【００２１】
好ましくは、表示情報決定手段は、与えられる表示情報の指定に基づき、表示部決定手段により決定された表示部それぞれに表示すべき情報を同じとする。
【００２２】
したがって、表示情報の指定を与えることにより、表示部決定手段により決定された複数表示部において同じ情報を表示することができる。これにより、該情報はどの表示部においても確認することができる。
【００２３】
好ましくは、複数の表示部間での表示情報の切替えを指示する手段をさらに備えて、切替え指示が与えられたとき、表示部決定手段により決定された表示部間で表示情報を交互に切替える。
【００２４】
したがって、表示情報の切替えを指示することにより、表示部決定手段により決定された表示部間で交互に表示情報を切替えることができる。
【００２５】
好ましくは、表示部決定手段により複数の表示部が決定されたとき、決定された複数表示部に表示情報決定手段により決定された情報を時間経過に従い順次に表示する。
【００２６】
したがって、決定した情報の表示先として複数の表示部を決定した場合には、該情報を決定した複数の表示部において時間経過に従い順次に表示することができる。
【００２７】
好ましくは、表示部決定手段により複数の表示部が決定されたとき、決定された複数表示部に表示情報決定部により決定された情報を同時に表示する。
【００２８】
したがって、決定した情報の表示先として複数の表示部を決定した場合には、該情報を決定した複数の表示部において同時に表示することができる。
【００２９】
好ましくは、機器は被写体を撮影して画像データを出力する撮像部をさらに有し、表示情報決定手段により決定された情報は、１つ以上の撮像部により撮像して得られた画像データに基づく画像である。
【００３０】
したがって、機器が撮像部を有する場合には、表示部決定手段により決定した表示部において、表示情報決定手段を介して決定した該撮像部からの画像データに基づく画像を表示させることができる。したがって撮像部による画像の表示部を外部からの指定にて任意に決定できる。
【００３１】
好ましくは、機器は単一の筐体からなり、複数の表示部は単一の筐体の異なる２つ以上の面に設けられる。したがって、同一筐体であっても機器使用時の該筐体の各面における表示の確認のし易さに応じて、各表示部における表示情報を外部からの指示により決定できる。
【００３２】
好ましくは、機器は、相互に連結し且つ連結部分を介して開閉動作する複数の筐体からなり、複数表示部は複数の筐体のうちの異なる２つ以上の筐体に設けられる。
【００３３】
したがって、複数表示部が異なる筐体に設けられていて機器の使用態様によっては、各筐体の表示部における表示の確認のし易さが異なる場合でも、指定することにより、確認し易い表示部に対して所望の情報を表示するよう決定できる。
【００３４】
好ましくは、筐体に複数の表示部が設けられるとき、複数の表示部は該筐体の異なる２つ以上の面に設けられる。
【００３５】
したがって、複数表示部が筐体の異なる面に設けられていて機器使用時には設けられた面によっては表示部における表示の確認のし易さが異なる場合でも、外部から指定することにより、確認し易い面の表示部に対して所望の情報を表示するよう決定できる。
【００３６】
好ましくは、複数表示部の１つ以上は開閉動作によって筐体により覆われる。
【００３７】
したがって、複数表示部が異なる筐体に設けられていて開閉動作によってはある筐体の表示部が他の筐体により覆われて表示を確認できない場合でも、外部から指定することにより、他の筐体に覆われずに確認し易い表示部に対して所望の情報を表示するよう決定できる。
【００３８】
好ましくは、開閉動作は連結部を介したスライド動作である。
【００３９】
したがって、複数表示部が異なる筐体に設けられていて筐体同士のスライド動作によってある筐体の表示部が他の筐体により覆われて表示を確認できない場合でも、外部から指定することにより、他の筐体に覆われずに確認し易い表示部に対して所望の情報を表示するよう決定できる。
【００４０】
好ましくは、開閉動作は連結部を支点とした回転動作である。
【００４１】
したがって、複数表示部が異なる筐体に設けられていて筐体同士の回転動作によってある筐体の表示部が他の筐体により覆われて表示を確認できない場合でも、外部から指定することにより、他の筐体に覆われずに確認し易い表示部に対して所望の情報を表示するよう決定できる。
【００４２】
好ましくは、機器は携帯型電話である。したがって、複数の表示部を有する携帯型電話に上述の表示制御装置が搭載された場合には、上述のような特徴を得ることができる。
【００４３】
この発明の他の局面に従う表示制御装置は、開閉動作可能に相互に連結された第１および第２の筐体を有して、第１および第２筐体に表示部を複数個設ける電子機器に搭載された表示制御装置であって、第１および第２の筐体の少なくとも一方は被写体を撮像して画像データを出力する撮像部をそれぞれ有し、表示制御装置は、与えられる表示先の指定に基づき、撮像部からの画像データに基づく画像の表示先となる１つ以上の表示部を、複数の表示部のうちから決定する表示部決定手段と、表示部決定手段により決定された表示部に、画像を表示する手段とを備える。
【００４４】
したがって、電子機器が有する複数の表示部について、与えられる表示先の指定に基づき表示部決定手段により情報の表示先となる表示部を１つ以上決定すると、決定した表示部のそれぞれについて表示すべき情報を、すなわち第１または第２筐体の少なくとも一方の撮像部からの画像データに基づく画像を、与えられる表示情報の指定に基づき表示情報決定手段により決定する。
【００４５】
それゆえに、ユーザは外部から表示先の指定と表示情報の指定とを与えるだけで、各表示部に表示すべき第１または第２筐体の少なくとも一方の撮像部からの画像データに基づく画像を決定できて、複数の表示部を用いた画像の表示に関する自由度を得ることができる。また、開閉動作により表示部が他の筐体により覆われてその情報を確認することが困難な場合でも、他の表示部を表示先に決定して画像を表示させて確認することができる。
【００４６】
この発明のさらに他の局面に従う表示制御装置は、展開及び収納が可能なように相互に結合された第１の筐体部と第２の筐体部から成る電子機器の表示制御装置であって、第１の筐体部は少なくとも一つの表示部と撮像部を持ち、制御部が内蔵されていることで撮像部で撮影した画像を第１の筐体部の少なくとも一つの表示部に表示させる一方、第２の筐体部の少なくとも一つの表示部に表示させる。
【００４７】
この発明のさらに他の局面に従う表示制御装置は、展開及び収納が可能なように相互に結合された第１の筐体部と第２の筐体部から成る電子機器の表示制御装置であって、第１の筐体部は少なくとも一つの表示部と撮像部を持ち、且つ第２の筐体部は少なくとも一つの表示部と撮像部を持ち制御部が内蔵されていることで第１の筐体部の撮像部で撮影した画像を第１の筐体部の少なくとも一つの表示部に表示させる一方、第２の筐体部の撮像部で撮影した画像を第２の筐体部の少なくとも一つの表示部に表示させる。
【００４８】
好ましくは、第１の筐体部の撮像部で撮影した画像を第２の筐体部の少なくとも一つの表示部に表示させる一方、第２の筐体部の撮像部で撮影した画像を第１の筐体部の少なくとも一つの表示部に表示させる。
【００４９】
この発明のさらに他の局面に従う表示制御方法は、複数の異なる表示部を有する機器において実施されて、複数の表示部における表示を制御するための表示制御方法であって、与えられる表示先の指定に基づき、複数の表示部のうち情報の表示先となる１つ以上の表示部を決定する表示部決定ステップと、与えられる表示情報の指定に基づき、決定された表示部に表示すべき情報を決定する表示情報決定ステップとを備えて、表示部決定ステップにより決定された表示部に、表示情報決定ステップにより決定された情報を表示する。
【００５０】
この発明のさらに他の局面に従う表示制御方法は、開閉動作可能に相互に連結された第１および第２の筐体を有して、第１および第２筐体に表示部を複数個設ける電子機器において実施される表示制御方法であって、第１および第２の筐体は被写体を撮像して画像データを出力する撮像部をそれぞれ有し、表示制御方法は、与えられる表示先の指定に基づき、第１または第２筐体の少なくとも一方の撮像部からの画像データに基づく画像の表示先となる１つ以上の表示部を、複数の表示部のうちから決定する表示部決定ステップと、決定された表示部に、画像を表示するステップとを備える。
【００５１】
この発明のさらに他の局面に従うと、展開及び収納が可能なように相互に結合された第１の筐体部と第２の筐体部から成る電子機器における表示制御装置は、第１の筐体部の表面または裏面に少なくとも１つの表示部と、第２の筐体部の表面または裏面に少なくとも１つの他の表示部と、第１および第２筐体部の表示部のうち少なくとも１つの前記表示部に表示させた表示内容を別の表示部に表示させる制御部とを有する。
【００５２】
好ましくは、第２の筐体部の表面または裏面以外の場所に、さらに少なくとも１つの表示部を有する。
【００５３】
好ましくは、第１の筐体部の表面または裏面以外の場所に、さらに少なくとも１つの表示部を有する。
【００５４】
この発明のさらに他の局面に従う展開及び収納が可能なように相互に結合された第１の筐体部と第２の筐体部から成る電子機器における表示制御装置は、第１の筐体部の表面且つ裏面それぞれに少なくとも１つの表示部と、第２の筐体部の表面または裏面に少なくとも１つの表示部と、第１および第２筐体部の表示部のうち少なくとも１つの表示部に表示させた表示内容を別の表示部に表示させる制御部とを有する。
【００５５】
好ましくは、第２の筐体部の表面または裏面以外の場所に、さらに少なくとも１つの表示部を有する。
【００５６】
好ましくは、第１の筐体部の表面または裏面以外の場所に少なくとも１つの表示部を有する。
【００５７】
この発明のさらに他の局面に従う展開及び収納が可能なように相互に結合された第１の筐体部と第２の筐体部から成る電子機器における表示制御装置は、第１の筐体部の表面または裏面に少なくとも１つの表示部と、第２の筐体部の表面且つ裏面それぞれに少なくとも１つの表示部と、第１および第２筐体部の表示部のうち少なくとも１つの表示部に表示させた表示内容を別の表示部に表示させる制御部とを有する。
【００５８】
好ましくは、第１の筐体部の表面または裏面以外の場所に、さらに少なくとも１つの表示部を有する。
【００５９】
好ましくは、第２の筐体部の表面または裏面以外の場所に、さらに少なくとも１つの表示部を有する。
【００６０】
この発明のさらに他の局面に従う展開及び収納が可能なように相互に結合された第１の筐体部と第２の筐体部から成る電子機器における表示制御装置は、第１の筐体部の表面且つ裏面それぞれに少なくとも１つの表示部と、第２の筐体部の表面且つ裏面それぞれに少なくとも１つの表示部と、第１および第２筐体部の表示部のうち少なくとも１つの表示部に表示させた表示内容を別の表示部に表示させる制御部とを有する。
【００６１】
好ましくは、第２の筐体部の表面または裏面以外の場所に、さらに少なくとも１つの表示部を有する。
【００６２】
好ましくは、第１の筐体部の表面または裏面以外の場所に、さらに少なくとも１つの表示部を有する。
【発明を実施するための最良の形態】
【００６３】
本発明の実施の形態について図面を参照して詳細に説明する。
【００６４】
本実施の形態では、複数の表示部を有する電子機器として携帯電話を例示しているがこれに限定されず、デジタルカメラやＰＤＡ（Personal Digital Assistants）等であってもよい。該携帯電話では全ての表示内容をテキストであればＨＴＭＬ（HyperText Mark-Up Language）やＸＭＬ（eXtensible Mark-up Language）などの言語フォーマットに従い、画像であればＪＰＥＧ（Joint Photographic Experts Group）やＣＩＦ（Common Intermediate Format）といった画像フォーマットで制御し、それぞれの表示部に表示させる。
【００６５】
図１（Ａ）には携帯電話（以下、端末と称する）１０のキー操作部１６とメイン表示部１３を有する表面からの概観が示されて、図１（Ｂ）にはその背面からの概観が示される。図１（Ａ）と（Ｂ）を参照して端末１０は、ヒンジ部９、ヒンジ部９を介して回動する筐体１１および１２を備える。筐体１１と１２はヒンジ部９を介して開閉可能である。筐体１１はアンテナ１４、表面側にメイン表示部１３および受話などの音声出力のためのスピーカ７、背面側にメイン表示部１３よりも表示領域の小さいサブ表示部１５および被写体を撮影するためのカメラ部１８を有する。筐体１２は表面側に送話のためのマイク８、各種情報を入力するために操作されるキー操作部１６および詳細ボタン１７を有する。端末１０は図示しないがメモリカードを着脱自在に装着可能であり、装着するためのスロット部も有する。
【００６６】
ここではサブ表示部１５はメイン表示部１３よりも表示領域が小さいとしているが同じ大きさであってもよく、メイン表示部１３よりも表示領域が大きくてもよい。また、表示部は２つとしているが３つ以上であってもよい。さらに被写体撮影のためのカメラ部１８は１つとしているが同一筐体に２つ以上または異なる筐体に２つ以上設けるようにしてもよい。
【００６７】
また、ここでは複数の表示部が複数の筐体に設けられるとしているが、単一の筐体の端末である場合には筐体の表面（キー操作部が設けられた面）と背面、さらには側面に設けるようにしてもよい。
【００６８】
図２には端末１０の概略的な内部の機能構成が示される。図２を参照して端末１０は、主にアンテナ１４、スピーカ７およびマイク８を介した通話またはデータ通信のための処理部５０、制御部３２、キー操作部１６および詳細ボタン１７からの操作内容を受付けて対応の入力データを制御部３２に与えるキー入力受付部７０９、カメラ部１８により撮影された映像信号を入力してデータ処理して制御部３２に出力する撮像部７１２を備える。制御部３２は処理部５０、撮像部７１２、表示部群５１およびキー入力受付部７０９を制御するためにＣＰＵ（Central Processing Unit）および各種プログラム及びデータを格納するメモリなどを含んで構成される。表示部群５１はメイン表示部１３およびサブ表示部１５を含む複数の表示部を有して、制御部３２はこれら複数表示部の表示を制御する。
【００６９】
また制御部３２はメモリカードの着脱をスロット部からの信号により検知して、キー操作部１６を介したキー操作に応答して、メモリカードをアクセスする。
【００７０】
処理部５０は、アンテナ１４を介した通信のための送受信部７０２、受信情報を検出する受信情報検出部７０３、送信情報を変調する送信情報変調部７０４、情報格納部３１、スピーカ７による音声出力のための音声信号出力部７０５およびマイク８を介した音声入力のための音声信号入力部７０６を備える。
【００７１】
図２を参照して電子メール着信時の動作を説明する。電子メールがアンテナ１４を介して受信されると、送受信部７０２を介し受信情報検出部７０３によりメール受信検出が制御部３２に対し通知されるので、制御部３２は表示部群５１の表示部の後述のメールアイコン２７のメール着信の表示態様に変更する。他に、スピーカ７を介してメール着信を報知する音声を出力するようにしてもよい。受信したメールのデータ（メッセージ、画像データなどが含まれてよい）は情報格納部３１に格納されるので、ユーザがメールアイコン２７を介してメール着信を確認しキー操作部１６を操作してメール閲覧を指示した場合には、該指示はキー入力受付部７０９を介して制御部３２に与えられるので、制御部３２は情報格納部３１からメールデータを読出して表示部群５１の表示部に表示する。
【００７２】
また、カメラ部１８の撮影時には次のように動作する。カメラモードでカメラ部１８により撮影して出力される映像信号は撮像部７１２により処理されて画像データとして制御部３２に出力されるので、制御部３２は該画像データを表示部群５１の表示部に表示する。表示された画像を確認したユーザがキー操作部１６の図示のないシャッタキーを操作すると、該シャッター操作指示はキー入力受付部７０９を経て制御部３２に与えられるので、制御部３２は表示中の画像データを情報格納部３１に格納する。情報格納部３１に格納された画像データを表示するようキー操作部１６を介して指示されたときは、制御部３２は情報格納部３１から該画像データを読出して表示部群５１の表示部に表示する。
【００７３】
また、端末１０に駆動用の電力を供給する電池（図示せず）の残量を示す後述の電池残量アイコン２３、アンテナアイコン２４、メモリカードアイコン２６およびメールアイコン２７などを表示することができる。これらアイコンの画像データは制御部３２のメモリに格納されており、制御部３２はアイコンを読出して、そのときの電池残量、アンテナ１４の電波の電界強度、およびスロット部のメモリカードのアクセス状態を報知するための態様（絵柄）で、表示部群５１の表示部に表示する。
【００７４】
このように、アイコン毎に表示態様を複数種類有することになるが、各種表示態様毎に、該表示態様で報知する情報を詳細に示すためのメッセージデータが対応付けて情報格納部３１に予め格納されている。したがって、所望のアイコンについて詳細ボタン１７が操作されると、制御部３２は該アイコンの現在の表示態様に対応する詳細メッセージを情報格納部３１から読出して該アイコンが表示されている表示部に表示する。
【００７５】
ここで、表示部に表示させる情報を制御するための機能構成を図３を参照して示す。図３において制御部３２は情報格納部３１について情報をアクセス制御する一方で、表示部群５１の各表示部に対する情報の表示を制御するために、情報アクセス部３３、表示部決定部３４、表示情報決定部３５、表示情報編集部３６、処理時間調整部４０および筐体状態検出部４２を備える。筐体状態検知部４２は筐体１１と１２がヒンジ部９を介して閉じた状態（メイン表示部１３の表示画面は筐体１２のキー操作部１６の面で覆われて確認できない状態）であるか開いた状態（図１（Ａ）と（Ｂ）の状態）であるかを検知出力する。表示部群５１にはメイン表示部１３に対応の第１表示部３７、サブ表示部１５に対応の第２表示部３８、第３表示部３９および第４表示部４１を含む。表示部群５１の各表示部の表示領域の大きさは同じであってもよく、また異なっていてもよい。制御部３２内の各部の機能はプログラムにより準備されて制御部３２の図示のないメモリに予め格納されて、制御部３２の図示のないＣＰＵが該メモリからプログラムを読出して実行することにより対応の機能が実現される。
【００７６】
端末１０が受信した情報やキー操作部１６よりキー入力された情報、カメラ部１８で撮影した画像データは全て情報格納部３１に格納されテキスト情報であればＨＴＭＬやＸＭＬといった言語フォーマットで、画像であればＪＰＥＧやＣＩＦといった画像フォーマットでそれぞれ格納される。情報アクセス部３３は情報格納部３１について情報の読出／書込をするためのインターフェイス機能を有する。表示情報決定部３５は情報アクセス部３３で読出した情報の中から何を表示部に表示させるかを決定する。表示情報編集部３６は、その表示情報をそれぞれの表示部に表示可能なように編集する。表示部決定部３４は情報を表示部群５１のどの表示部に表示させるかを決定する。そして表示部への表示情報が決定すると制御部３２は第１表示部３７、第２表示部３８、第３表示部３９、第４表示部４１といった個別の表示部に表示可能なように編集されたそれぞれの情報を表示させる。
【００７７】
端末１０では各種機能をアイコンとして表示することができる。そのうち一般的に常時アイコンとして表示させる機能として例えば電池残量を報知する機能のための電池残量アイコン２３、アンテナ１４に関する電波の電界強度を報知する機能のためのアンテナアイコン２４などがある。端末１０では図４（Ａ）のようにサブ表示部１５より表示領域の大きいメイン表示部１３には電池残量アイコン２３やアンテナアイコン２４が表示され、メールや撮影画像などの情報はそれらアイコン表示の下部分の情報表示エリア２５に表示される。またサブ表示部１５にも図４（Ｂ）のように同様の情報表示エリア２５の周辺にアイコンが表示される。これら電池残量アイコン２３やアンテナアイコン２４はメイン表示部１３とサブ表示部１５に同時に表示されたり、あるいはいずれか一方に表示されたりする。
【００７８】
図４（Ａ）と（Ｂ）の表示態様では、ユーザはそれぞれの表示部で同じ情報を確認できる一方で、常時アイコン表示されるため情報表示エリア２５の大きさは制限されて、情報表示エリア２５に表示される情報量も制限されることになる。そこで本実施の形態ではユーザの希望に応じて各表示部に表示されるべきアイコンの種類、アイコン以外の情報（メール、画像などの情報）の種類を選択的に切替え可能としている。例えば、メイン表示部１３の表示態様を図４（Ａ）から図５（Ａ）に切替えたり、図５（Ｂ）に切替えたりすることができる。図５（Ａ）ではメイン表示部１３からは電池残量アイコン２３とアンテナアイコン２４は消されて、表示領域全てが情報表示エリア２５となる。したがって、電子メールのメッセージ内容を表示する場合には、図５（Ａ）では図４（Ａ）に比べて一度に表示可能なメッセージ量が多いことがわかる。また図５（Ｂ）では図５（Ａ）のメッセージ表示中にキー操作部１６を操作してサブ表示部１５をメイン表示部１３にウィンドウ２６を介して表示した状態が示される。
【００７９】
本実施の形態による表示切替えに関する手順について図６のフローチャートに従い説明する。該手順は図１（Ａ）の状態で端末１０を携帯したユーザが、メイン表示部１３に表示される情報（選択肢の一覧）を参照しながらキー操作部１６を操作して所望の選択肢を選択することにより実行されるので、各ステップでは表示部に表示される選択肢の一覧を示している。
【００８０】
まず、ユーザがキー操作部１６を操作して表示選択モードを指示すると、制御部３２は該指示に応答して表示選択モードに移行して（ステップＳ（以下、単にＳと略す）１）、Ａ１：表示切替、Ａ２：表示情報編集およびＡ３：アイコン詳細（アイコンの詳細を表示するためのモード）の選択肢一覧を表示する（Ｓ２）。
【００８１】
ユーザがキー操作部１６を操作してＡ１：表示切替を選択すると、表示部決定部３４はＢ１：サブ表示部を常時ＯＮ、Ｂ２：全表示部を常時ＯＮ、Ｂ３：メイン表示部ＯＮ時にはサブ表示部をＯＦＦ、Ｂ４：メイン表示部ＯＦＦ時にはサブ表示部をＯＮ、およびＢ５：切替えの選択肢一覧を表示する（Ｓ３）。該一覧を参照したユーザがキー操作部１６を操作して所望の選択肢を選択すると表示部決定部３４は選択された選択肢に応じて表示部の実行を制御する（Ｓ６）。
【００８２】
具体的には、選択肢Ｂ１を選択すると表示部決定部３４はサブ表示部１５を常時表示可能となるように制御し、選択肢Ｂ２を選択すると表示部決定部３４はメイン表示部１３及びサブ表示部１５同時に常時表示可能となるように制御し、選択肢Ｂ３あるいはＢ４を選択すると表示部決定部３４はメイン表示部１３とサブ表示部１５のどちらかが表示可能となるように制御する。そして選択肢Ｂ５を選択すると表示部決定部３４はユーザのキー操作部１６のキー操作内容に応じてメイン表示部１３とサブ表示部１５の表示内容をユーザが所望に応じて切替るよう制御する。
【００８３】
ユーザがキー操作部１６を操作して選択肢Ａ２：表示情報編集を選択すると、表示情報編集部３６によりメイン表示部１３には表示情報の編集対象としてＣ１：メイン表示部の表示情報を選択、Ｃ２：サブ表示部の表示情報を選択、およびＣ３：第３表示部の表示情報を選択などの選択肢の一覧が表示される（Ｓ４）。該一覧を参照したユーザがキー操作部１６を操作して所望の選択肢を１つ以上選択すると、選択された選択肢の表示部（メイン表示部１３、サブ表示部１５、第３表示部３９および第４表示部４１などの１つ以上）に表示する情報を選択するための処理に移行して、表示情報決定部３５は選択された表示部において表示すべき情報の種類を選択させるための選択肢の一覧を表示する（Ｓ７）。
【００８４】
一覧表示においてはＥ１：電池残量アイコン２３、Ｅ２：アンテナアイコン２４、Ｅ３：メモリカードアイコン２６、Ｅ４：メールアイコン（電子メールの受信を報知するためのアイコン）２７、Ｅ５：時計、Ｅ６：壁紙（画面の背に用いる絵など）、Ｅ７：メッセージ（電子メールなどのメッセージ）のみ表示、Ｅ８：サブ表示部１５を表示（ウインドウ２６としてサブ表示部１５を表示）、Ｅ９：カメラ画像を表示、Ｅ１０：電子メールを表示、Ｅ１１：全ての種類の情報を表示、Ｅ１２：サブ表示部１５の表示情報と同じ種類の情報は表示させない、およびＥ１３：何も表示させないなどの選択肢が表示される。
【００８５】
ユーザはこのような選択肢一覧から１つまたは複数の選択肢をキー操作部１６を操作して選択するので、表示情報決定部３５は選択された情報を選択された表示部に表示するように実行を制御する（Ｓ８）。これによりメイン表示部１３とサブ表示部１５に同じ種類の情報を表示することもできる。
【００８６】
また、Ｓ１においてＡ３：アイコン詳細が選択されたときには、制御部３２はＤ１：電池残量表示、Ｄ２：アンテナ、Ｄ３：メモリカードおよびＤ４：メールの選択肢の一覧を表示する（Ｓ５）。キー操作部１６を介して選択肢Ｄ１〜Ｄ４のうちの１つまたは複数が選択されて詳細ボタン１７が押下されるので、制御部３２は選択された選択肢それぞれに対応のアイコン（アイコン２３、２４、２６および２７のいずれか）の詳細情報を情報アクセス部３３を介して情報格納部３１から読出して表示部に表示する（Ｓ９）。この詳細情報とは、アイコン２３ならば電池残量を示す詳細情報であり、アイコン２４ならばアンテナ１４に関する電波の電界強度の詳細情報であり、アイコン２６ならばメモリカードが端末１０に装着されているか否かを示す詳細情報であり、アイコン２７ならば電子メールが着信しているか否かの詳細情報である。
【００８７】
なお、ここでメイン表示部３２の表示がＯＮと選択された場合であっても、筐体状態検出部４２により筐体１１と１２が閉じた状態であると検出されるときは、制御部３２はメイン表示部１３の表示をＯＦＦする。メイン表示部１３と複数のサブ表示部（サブ表示部１５、第３表示部３９、第４の表示部４１）の組合わせを図６の手順と同じ選択方法で自由に選択できどの情報をどの表示部に表示させるか、どの表示部の表示情報を同時に表示させるか、ある表示情報をどの順番でそれぞれの表示部に切替えて表示させるかが可能となる。
【００８８】
図６の手順に従った場合の表示例を説明する。例えば、Ｓ４で選択肢Ｃ１をＳ７で選択肢Ｅ７を選択した場合、図７（Ａ）または図５（Ａ）のようにメイン表示部１３にメッセージのみが表示される。また選択肢Ｃ２に続いて選択肢Ｅ１〜Ｅ４を選択した場合には図７（Ｂ）のようにサブ表示部１５に電池残量アイコン２３、アンテナアイコン２４、メモリカードアイコン２６およびメールアイコン２７を表示させることが可能となる。また選択肢Ｃ３に続いて選択肢Ｅ５を選択した場合には図７（Ｃ）のように第３表示部３９に時計情報２９を表示できる。時計情報２９は制御部３２の図示のない時計から現在時刻が読出されて表示される。また、選択肢Ｃ１に続いて選択肢Ｅ８を選択した場合には図５（Ｂ）のように制御部３２によりメイン表示部１３にサブ表示部１５をウィンドウ２６の画面として表示することが可能となる。
【００８９】
ここで、端末１０に表示部としてメイン表示部１３とサブ表示部１５のみ装備されている場合を例に説明する。図６に従う手順によりメイン表示部１３には選択肢Ｅ１３：何も表示させない及び選択肢Ｅ８：サブ表示部を表示させるが選択されて、サブ表示部１５については選択肢：Ｂ１および選択肢Ｅ１〜Ｅ５が選択されたと想定する。
【００９０】
このような場合に、端末１０は受信待受け状態で筐体同士は閉じられた（折畳まれた）状態であるときは、ユーザはサブ表示部１５でアイコンと時計の表示を確認できる。今、メール受信をしたとするとユーザは筐体を開いて受信したメールのメッセージはメイン表示部１３に表示されるので、確認することができる。その場合、メイン表示部１３にはアイコンや時計が表示されてないため情報表示エリア２５は全画面において有効となり長文のメッセージのメールであっても同一画面で（画面送りすることなく）確認することが可能となる。
【００９１】
一方、ユーザがサブ表示部１５の情報を見たい場合、筐体を裏返せばサブ表示部１５の表示情報を確認できるけれども、ここでは、メイン表示部１３へサブ表示部１５を表示させる設定になっているので、筐体を裏返すことなく、キー操作部１６の簡単なキー操作でメイン表示部１３にウィンドウ２６を設定して、該ウインドウ２６においてサブ表示部１５の表示情報を確認できる。その後、同じくキー操作部１６のキー操作でウィンドウ２６、すなわちサブ表示部１５の表示情報をメイン表示部１３から消すことが可能となる。ウインドウ２６にサブ表示部１５の情報が表示されるときはサブ表示部１５の表示を消去するようにしてもよい。
【００９２】
なお、この表示情報の消去はキー操作部１６のキー操作によらず、次のようにしてもよい。つまり、制御部３２の処理時間調整部４０は、メイン表示部１３にウィンドウ２６を介してサブ表示部１５の情報が表示されると、時間計測を開始して、一定時間経過を計測した時点で、制御部３２に指示して、制御部３２がサブ表示部１５の表示情報をメイン表示部１３から消去する（と同時にサブ表示部１５を表示消去から情報表示に切替える）ようにしてもよい。
【００９３】
別の応用として、制御部３２は処理時間調整部４０により表示部に情報表示させる時間の管理を可能としており、この機能を利用することでＳ７で選択された表示情報を、表示先として指定された表示部、すなわちＳ４で指定された表示部に同時に表示させたり、所定時間間隔に従う順番で指定された表示部に順次表示させるといった管理が可能となる。
【００９４】
１つの応用例として筐体１１と１２それぞれに２つの表示部を持つ端末の場合、筐体１１の表示部をそれぞれ第１表示部３７および第２表示部３８とし、筐体１２の表示部をそれぞれ第３表示部３９おおび第４表示部４１と想定する。この場合に図６の手順に従えば、第１表示部３７には電子メールのメッセージや画像（カメラ部１８の撮影画像または外部からの受信画像など）などの情報を表示させ、第２表示部３８には電池残量アイコン２３やアンテナアイコン２４などのアイコンを専用に表示させ、第３表示部３９には時計２９の時間情報を表示させ、そして第４表示部４０にはユーザお気に入りの壁紙を表示させることが可能となる。
【００９５】
また小さい表示部のアイコンを大きい表示部で表示させるように切替える場合、例えば図８（Ａ）のようにサブ表示部１５に電池残量アイコン２３が表示されており、これをメイン表示部１３にて詳細情報を表示するには次のような操作が行なわれる。
【００９６】
まず、ユーザは選択肢Ａ１を選択して、次に選択肢Ｂ５を選択すると、表示部決定部３４はサブ表示部１５の表示情報をメイン表示部１３に表示し、メイン表示部１３の表示情報をサブ表示部１５に表示するように切替える（Ｓ６）。この結果、メイン表示部１３には電池残量アイコン２３が表示されるので、これを確認したユーザが詳細ボタン１７を押すと制御部３２は情報アクセス部３３に対して電池残量に関する詳細情報を情報格納部３１から読出すように指示する。情報アクセス部３３により情報格納部３１から読出された電池残量に関する情報は制御部３２により表示先として決定されたメイン表示部１３の情報表示エリア２５に表示される。図８（Ｂ）のように、たとえば“現在３０％使用されており待受け時間は約１２０時間可能です”といった電池残量に関する詳細情報２３Ａを表示させることが可能となる。
【００９７】
アンテナアイコン２４の場合には同様にして、その詳細情報２４Ａが図８（Ｃ）のように表示される。
【００９８】
この表示情報のメイン表示部１３とサブ表示部１５間の表示情報の切替えは処理時間調整部４０が計時する所定時間毎に交互に行なわれるようにしてもよい。
【００９９】
ここで、複数の表示部の端末への取付け態様について説明する。図９（Ａ）〜（Ｊ）には複数表示部の端末１０に対する取付け例が端末１０を側面方向から見た場合の概観にて示される。図中の⇔は筐体１１と１２のヒンジ部９を介した開閉方向を示している。第１および第２表示部３７と３８が筐体１１と１２の表面または背面に取付けた態様が図９（Ａ）〜（Ｄ）に示されて、第１表示部３７〜第３表示部３９が筐体１１と１２の表面または背面に取付けた態様が図９（Ｅ）〜（Ｈ）に示されて、第１表示部３７〜第４表示部４１が筐体１１と１２の表面または背面に取付けた態様が図９（Ｉ）に示される。図９（Ｊ）には図９（Ｉ）の取付け状態に、さらに第５表示部５２と第６表示部５３が筐体１１と１２の側面にそれぞれ取付けられた態様が示される。
【０１００】
このような端末１０の複数表示部の取付け態様に従い、図６の手順に基づき各表示部毎に表示のＯＮ／ＯＦＦを決定すれば複数の表示部を備えるとしても電池寿命をより長くできる。また表示部毎に表示する情報の種別なども決定できるから、ユーザが携帯するときに見やすい位置の表示部に重要度の高い情報を表示し、そうでない情報は他の表示部に表示することが可能となり使い勝手は向上する。
【０１０１】
ここで端末１０の２つの筐体の開閉の各種態様を図１０（Ａ）〜（Ｆ）を参照して説明する。ここでは複数の表示部としてメイン表示部１３とサブ表示部１５だけを示しているが、他の表示部の追加も可能である。図１０（Ａ）と（Ｂ）にはスライドタイプの端末１０が示される。図示されるように図１０（Ａ）のメイン表示部１３が筐体１１０で覆われた状態から、図１０（Ｂ）で筐体１２０を固定にして矢印方向に筐体１１０をスライドさせることにより筐体１２０の表面のキー操作部１６およびメイン表示部１３が外部に現れる。またこの矢印の逆方向に筐体１１０をスライドさせると図１０（Ａ）の状態に戻る。筐体１１０と１２０はスライド部分で連結しており該連結部分を介して開閉動作する。
【０１０２】
図１０（Ｃ）と（Ｄ）にはリボルバーのように回転するタイプの端末１０が示される。図１０（Ｃ）のメイン表示部１３が筐体１１０で覆われた状態から、筐体１２０を固定にして図１０（Ｄ）の矢印方向に筐体１１０をマイク７の部分を支点にして１８０°回転させることにより筐体１２０の表面のキー操作部１６およびメイン表示部１３が外部に現れる。筐体１１０と１２０はマイク７の部分で連結しており該連結部分を介して開閉動作する。
【０１０３】
図１０（Ｅ）と（Ｆ）には筐体１２０の一部分であるメイン表示部１３だけが露出して他の部分のキー操作部１６が筐体１１０でカバーされたスリットタイプの端末１０が示される。図１０（Ｅ）の矢印方向に筐体１１０を開くことにより図１０（Ｆ）のようにキー操作部１６が現れるとともに、メイン表示部１３が筐体１１０で覆われる。筐体１１０と１２０は図１０（Ｆ）の両筐体の接続部分で連結しており、該部分を介して開閉動作する。
【０１０４】
図１０（Ａ）〜（Ｆ）の場合にはカメラ部１８は筐体１１０または筐体１２０設けられる。カメラ部１８の撮影による画像を筐体１１０または１２０の表示部にモニタ画像としてリアルタイムに表示させる場合には、または予め撮影されて情報格納部３１に格納された画像データを読出し表示させる場合には、スライドタイプまたは回転タイプの場合、筐体１１０と筐体１２０の収納状態あるいは展開状態によりどちらかの筐体に位置するカメラ部１８で撮った画像はある表示部では見えなくなったり表示画像の向きが変わったりする。そこで、図６の手順に従い表示先をユーザが所望する表示部に切替えることにより、ユーザが見やすい表示部に画像表示されることになり使い勝手は向上する。
【０１０５】
このような場合には、制御部３２は、キー操作部１６から与えられる表示先の指定（ステップＳ４の指定）に基づき、筐体１１０または１２０の少なくとも一方のカメラ部からの画像データに基づく画像（ステップＳ７の指定による情報）の表示先となる１つ以上の表示部を複数の表示部のうちから決定して、決定された表示部に画像を表示する（ステップＳ８）。
【０１０６】
これにより筐体１１０のみにカメラ部を有する場合に、該カメラ部の画像を筐体１１０と１２０の表示部に表示するように指定することも出来る。また、筐体１１０と１２０とにそれぞれカメラ部を有する場合に、筐体１１０のカメラ部の画像は筐体１１０の表示部に、筐体１２０のカメラ部の画像は筐体１２０の表示部にそれぞれ表示するように指定することもできるし、筐体１１０のカメラ部の画像は筐体１２０の表示部に、筐体１２０のカメラ部の画像は筐体１１０の表示部にそれぞれ表示するように指定することもできる。
【０１０７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０８】
【図１】（Ａ）と（Ｂ）は実施の形態に係る端末の概観図である。
【図２】実施の形態に係る端末の内部の機能構成図である。
【図３】実施の形態に係る端末の表示部に表示させる情報を制御するための機能構成図である。
【図４】（Ａ）と（Ｂ）は本実施の形態による表示態様の一例を示す図である。
【図５】（Ａ）と（Ｂ）は本実施の形態による表示態様の他の例を示す図である。
【図６】本実施の形態による表示切替えに関する手順を示す図である。
【図７】（Ａ）〜（Ｃ）は本実施の形態による表示態様のさらなる他の例を示す図である。
【図８】（Ａ）〜（Ｃ）は本実施の形態による表示態様のさらなる他の例を示す図である。
【図９】（Ａ）〜（Ｊ）は本実施の形態による複数表示部の取付け態様を示す図である。
【図１０】（Ａ）〜（Ｆ）は本実施の形態による端末の形態の他の例を示す図である。
【符号の説明】
【０１０９】
１０  端末、１１,１２  筐体、１３  メイン表示部、１５  サブ表示部、１６  キー操作部、１７  詳細ボタン、１８  カメラ部、３２  制御部。
【図１】
2005215453.tif 000003
【図２】
2005215453.tif 000004
【図３】
2005215453.tif 000005
【図４】
2005215453.tif 000006
【図５】
2005215453.tif 000007
【図６】
2005215453.tif 000008
【図７】
2005215453.tif 000009
【図８】
2005215453.tif 000010
【図９】
2005215453.tif 000011
【図１０】
2005215453.tif 000012